(57)【要約】【課題】回路規模の増大を抑制し、電圧損失の発生を減らす。【解決手段】順方向が第一方向となるように直列に接続された１以上のＬＥＤを備え、アノード端子が交流源の一端に、カソード端子がノードＮ１に接続されたＬＥＤ群ＬＧ１と、順方向が第一方向とは逆向きの第二方向となるように直列に接続された１以上のＬＥＤを備え、アノード端子が交流源の他端に、カソード端子がノードＮ１に接続されたＬＥＤ群ＬＧ２と、順方向が第二方向となるように直列に接続された１以上のＬＥＤを備え、アノード端子がノードＮ２に、カソード端子が交流源の一端に接続されたＬＥＤ群ＬＧ３と、順方向が第一方向となるように直列に接続された１以上のＬＥＤを備え、アノード端子がノードＮ２に、カソード端子が交流源の他端に接続されたＬＥＤ群ＬＧ４と、一端がノードＮ１に、他端がノードＮ２に接続された電流制限回路２１とを備える。【選択図】図１
2015226027.tif 000002
【特許請求の範囲】
【請求項１】
順方向が第一方向となるように直列に接続された１以上のＬＥＤ（Ｌｉｇｈｔ  Ｅｍｉｔｔｉｎｇ  Ｄｉｏｄｅ）により構成され、アノード端子が交流源の一端に、カソード端子が第一ノードにそれぞれ接続された第一ＬＥＤ群と、
順方向が前記第一方向とは逆向きの第二方向となるように直列に接続された１以上のＬＥＤを備え、アノード端子が前記交流源の他端に、カソード端子が前記第一ノードにそれぞれ接続された第二ＬＥＤ群と、
順方向が前記第二方向となるように直列に接続された１以上のＬＥＤを備え、アノード端子が第二ノードに、カソード端子が前記交流源の一端にそれぞれ接続された第三ＬＥＤ群と、
順方向が前記第一方向となるように直列に接続された１以上のＬＥＤを備え、アノード端子が第二ノードに、カソード端子が前記交流源の他端にそれぞれ接続された第四ＬＥＤ群と、
一端が前記第一ノードに、他端が前記第二ノードにそれぞれ接続された電流制限回路とを備える、
ＬＥＤ駆動回路。
【請求項２】
前記電流制限回路は、定電流回路である、
請求項１に記載のＬＥＤ駆動回路。
【請求項３】
前記第一ＬＥＤ群、前記第二ＬＥＤ群、前記第三ＬＥＤ群および前記第四ＬＥＤ群はそれぞれ、同じ数のＬＥＤを備えている、
請求項１または２に記載のＬＥＤ駆動回路。
【請求項４】
複数の表示画素がマトリクス状に配置された表示パネルと、
請求項１〜３の何れか１項に記載のＬＥＤ駆動回路と、
前記表示パネルの背面側に設けられるリアフレームであって、前記表示パネル側に前記第一ＬＥＤ群、前記第二ＬＥＤ群、前記第三ＬＥＤ群および前記第四ＬＥＤ群が設置されたリアフレームとを備える、
表示装置。
【請求項５】
前記表示パネルは、映像を表示する表示領域が縦方向に複数の分割領域に分割され、
前記ＬＥＤ駆動回路は、前記第一ＬＥＤ群および前記第四ＬＥＤ群が、前記複数の分割領域のうちの１つの分割領域に対応して設けられ、
前記ＬＥＤ駆動回路は、前記第二ＬＥＤ群および前記第三ＬＥＤ群が、前記複数の分割領域のうちの他の１つの分割領域に対応して設けられ、
前記ＬＥＤ駆動回路は、前記第一ＬＥＤ群、前記第二ＬＥＤ群、前記第三ＬＥＤ群および前記第四ＬＥＤ群のうち、書き換え処理を行っていない表示画素に対応する分割領域に対応して設けられたＬＥＤ群を点灯させる、
請求項４に記載の表示装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ）駆動回路、および、当該ＬＥＤ駆動回路を用いた表示装置に関する。
【背景技術】
【０００２】
液晶ディスプレイ等の表示装置では、現在一般的に、バックライトとしてＬＥＤ点灯回路が用いられている。
【０００３】
図２１は、従来のＬＥＤ点灯回路の一例を示す図である。図２１に示すＬＥＤ点灯回路１００は、トランスＴ１０と、一次側回路１１０と、二次側回路１２０とを備えている。トランスＴ１０は、エネルギーの蓄積および放出を行う絶縁トランス回路である。一次側回路１１０は、トランスＴ１０の一次巻線に接続され、トランスＴ１０にエネルギーを供給する回路である。二次側回路１２０は、トランスＴ１０の二次巻線に接続され、トランスＴ１０からエネルギーを放出する回路である。二次側回路１２０は、半波整流回路１３０、昇圧降圧回路１４０、ＬＥＤ群ＬＧ１００１〜ＬＧ１００ｎ、定電流回路１５０、および、輝度制御回路１６０等を備えている。
【先行技術文献】
【特許文献】
【０００４】
【特許文献１】特開２０１３−１３５２０７号公報
【特許文献２】特開２０１２−００４１８３号公報
【発明の概要】
【発明が解決しようとする課題】
【０００５】
しかしながら、近年、液晶ディスプレイの大型化に伴い、ＬＥＤ群の数が増加している。これに伴い、ＬＥＤ群に電力を供給する半波整流回路１３０および昇圧降圧回路１４０を大型化させる、あるいは、複数設ける等の対応を行う必要がある。
【０００６】
さらに、従来の回路構成では、交流源の電圧値等により変化するが、例えば、半波整流回路１３０では１Ｖ程度の電圧損失が発生している。また、昇圧降圧回路１４０の効率は一般的に８０％〜９０％程度であるため、昇圧降圧回路１４０においても電圧損失が発生している。
【０００７】
本発明は上述の課題を解決するためになされたものであり、回路規模の増大を抑制し、電圧損失の発生を減らすことができるＬＥＤ駆動回路および表示装置を提供することを目的とする。
【課題を解決するための手段】
【０００８】
上記目的を達成するために、本発明の一態様に係るＬＥＤ駆動回路は、順方向が第一方向となるように直列に接続された１以上のＬＥＤにより構成され、アノード端子が交流源の一端に、カソード端子が第一ノードにそれぞれ接続された第一ＬＥＤ群と、順方向が前記第一方向とは逆向きの第二方向となるように直列に接続された１以上のＬＥＤを備え、アノード端子が前記交流源の他端に、カソード端子が前記第一ノードにそれぞれ接続された第二ＬＥＤ群と、順方向が前記第二方向となるように直列に接続された１以上のＬＥＤを備え、アノード端子が第二ノードに、カソード端子が前記交流源の一端にそれぞれ接続された第三ＬＥＤ群と、順方向が前記第一方向となるように直列に接続された１以上のＬＥＤを備え、アノード端子が第二ノードに、カソード端子が前記交流源の他端にそれぞれ接続された第四ＬＥＤ群と、一端が前記第一ノードに、他端が前記第二ノードにそれぞれ接続された電流制限回路とを備える。
【０００９】
上記構成のＬＥＤ駆動回路は、順方向が逆方向になるように接続された第一ＬＥＤ群および第二ＬＥＤ群と、順方向が逆方向になるように接続された第三ＬＥＤ群および第四ＬＥＤ群とを並列に接続し、第一ＬＥＤ群および第二ＬＥＤ群の接続点（第一ノード）と第三ＬＥＤ群および第四ＬＥＤ群の接続点（第二ノード）とを結ぶ位置に電流制限回路を設けている。このように構成すると、電流制限回路を流れる電流の方向は常に同じ方向となる。これにより、双方向に電流が流れる場合に比べ、電流制限回路の回路構成を簡単な構成にすることが可能になる。
【００１０】
また、上記構成のＬＥＤ駆動回路は、二次側回路に整流回路および昇圧降圧回路を設ける必要が無いので、回路規模の増大を抑制することが可能になる。
【００１１】
例えば、前記電流制限回路は、定電流回路であっても良い。
【００１２】
上記構成のＬＥＤ回路は、電流制限回路として定電流回路を設けたので、定電流回路の値を適切に設定することにより、ＬＥＤ群の輝度を適切に調整することが可能になる。特に、定電流回路の制限値を外部から設定できるように構成した場合は、ＬＥＤ群の輝度値を外部からコントロール可能になる。
【００１３】
また前記第一ＬＥＤ群、前記第二ＬＥＤ群、前記第三ＬＥＤ群および前記第四ＬＥＤ群はそれぞれ、同じ数のＬＥＤを備えていても良い。
【００１４】
上記構成のＬＥＤ回路は、個々のＬＥＤ群が同じ数のＬＥＤを備えるので、全てのＬＥＤ群で輝度値を揃えることが可能になり、輝度値の制御が容易になる。
【００１５】
上記目的を達成するために、本発明の一態様に係る表示装置は、複数の表示画素がマトリクス状に配置された表示パネルと、上記構成のＬＥＤ駆動回路と、前記表示パネルの背面側に設けられるリアフレームであって、前記表示パネル側に前記第一ＬＥＤ群、前記第二ＬＥＤ群、前記第三ＬＥＤ群および前記第四ＬＥＤ群が設置されたリアフレームとを備える。
【００１６】
上記構成の表示装置は、上述したＬＥＤ駆動回路を備えるので、二次側回路の整流回路および昇圧降圧回路を設ける必要がなくなる。また、電流制限回路の構成を簡素化することが可能になる。
【００１７】
例えば、前記表示パネルは、映像を表示する表示領域が縦方向に複数の分割領域に分割され、前記ＬＥＤ駆動回路は、前記第一ＬＥＤ群および前記第四ＬＥＤ群が、前記複数の分割領域のうちの１つの分割領域に対応して設けられ、前記ＬＥＤ駆動回路は、前記第二ＬＥＤ群および前記第三ＬＥＤ群が、前記複数の分割領域のうちの他の１つの分割領域に対応して設けられ、前記ＬＥＤ駆動回路は、前記第一ＬＥＤ群、前記第二ＬＥＤ群、前記第三ＬＥＤ群および前記第四ＬＥＤ群のうち、書き換え処理を行っていない表示画素に対応する分割領域に対応して設けられたＬＥＤ群を点灯させても良い。
【００１８】
上記構成のＬＥＤ駆動回路は、第一ＬＥＤ群および第四ＬＥＤ群が点灯する期間は同じであり、第二ＬＥＤ群および第三ＬＥＤ群が点灯する期間は同じである。また、第一ＬＥＤ群および第四ＬＥＤ群の点灯と、第二ＬＥＤ群および第三ＬＥＤ群の点灯とは交互に行われる。
【００１９】
上記構成の表示装置は、このようなＬＥＤ駆動回路の個々のＬＥＤ群を用い、同時に点灯する２つのＬＥＤ群を１つの分割領域に割り当てることにより、分割領域毎に表示を行うタイミングをコントロールすることが可能になる。映像の書き込みは行毎に順次行われるが、例えば、割り当てられた複数のＬＥＤ群が点灯していない分割領域において映像の書き込みを行い、割り当てられた複数のＬＥＤ群が点灯している分割領域では映像の書き込みが行われないようにタイミングを制御することができる。これにより、映像品質を向上させることが可能になる。
【発明の効果】
【００２０】
本発明によると、回路規模の増大を抑制し、電圧損失の発生を減らすことができる。
【図面の簡単な説明】
【００２１】
【図１】実施の形態１におけるＬＥＤ駆動回路の一例を示す回路図である。
【図２】実施の形態１における一次側回路の詳細な構成の一例を示す回路図である。
【図３】実施の形態１における一次側回路を構成するリセット回路の一例を示す回路図である。
【図４】実施の形態１において一次側回路を構成する制御回路から出力される信号の一例を示す波形図である。
【図５】実施の形態１において二次側回路に流れる電流と電圧の関係を示す波形図である。
【図６】実施の形態１におけるＬＥＤ群の配置の一例を示す図である。
【図７】実施の形態１におけるＬＥＤ駆動回路の一例を示す回路図である。
【図８】実施の形態１の変形例１におけるＬＥＤ群の配置の一例を示す図である。
【図９】実施の形態１の変形例２におけるＬＥＤ駆動回路の一例を示す回路図である。
【図１０】実施の形態１の変形例２における定電流回路の一例を示す回路図である。
【図１１】実施の形態１の変形例３におけるＬＥＤ駆動回路の一例を示す回路図である。
【図１２】実施の形態１の変形例３における定電流回路の一例を示す回路図である。
【図１３】実施の形態１の変形例４におけるＬＥＤ駆動回路の一例を示す回路図である。
【図１４】実施の形態１の変形例５におけるＬＥＤ駆動回路の一例を示す回路図である。
【図１５Ａ】実施の形態１の変形例５におけるＰＦＣの一例を示す回路図である。
【図１５Ｂ】実施の形態１の変形例５において制御回路から出力される信号の一例を示す波形図である。
【図１６】実施の形態１の変形例６において一次側回路を構成する制御回路から出力される信号の一例を示す波形図である。
【図１７】実施の形態２におけるＬＥＤ駆動回路の一例を示す回路図である。
【図１８】実施の形態２においてＬＥＤ駆動回路の一次側回路を構成する制御回路から出力される信号の一例を示す波形図である。
【図１９】実施の形態２におけるＬＥＤ群の配置の一例を示す図である。
【図２０】実施の形態２の変形例におけるＬＥＤ群の配置の一例を示す図である。
【図２１】従来のＬＥＤ駆動回路の一例を示す回路図である。
【発明を実施するための形態】
【００２２】
以下、本発明の実施の形態について、図面を用いて詳細に説明する。なお、各図は、必ずしも各寸法あるいは各寸法比等を厳密に図示したものではない。
【００２３】
また、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２４】
（実施の形態１）
実施の形態１のＬＥＤ駆動回路および当該ＬＥＤ回路を備えた表示装置について、図１〜図８を基に説明する。
【００２５】
本実施の形態では、表示装置がＬＥＤバックライトを備えた液晶ディスプレイである場合を例に説明する。
【００２６】
［１−１．液晶ディスプレイ］
液晶ディスプレイは、図示しないが、リアキャビネットおよびフロントキャビネットで構成される筐体内に、液晶パネル（表示パネルの一例）と、液晶パネルの背面側に配置されたリアフレームと、リアフレーム内に設けられたバックライトと、ＬＥＤ駆動回路とを備えている。
【００２７】
液晶パネルは、複数の表示画素がマトリクス状に配置されている。バックライトは、本実施の形態では、直下型のＬＥＤライトであり、複数のＬＥＤがリアフレーム内の液晶パネルの裏面側に設けられている。より詳細には、本実施の形態のバックライトは、リアフレーム内に、複数のＬＥＤ群を２行×２列の行列状に配置して構成されている。個々のＬＥＤ群は、長尺状の基板上に複数のＬＥＤを一行に並べたＬＥＤバーを構成している。ＬＥＤ駆動回路は、バックライトを構成する複数のＬＥＤを駆動する回路である。
【００２８】
［１−２．ＬＥＤ駆動回路の構成］
図１は、本実施の形態におけるＬＥＤ駆動回路の一例を示す回路図である。図１に示すように、ＬＥＤ駆動回路１は、トランスＴと、一次側回路１０と、二次側回路２０とを備えて構成されている。
【００２９】
［１−２−１．トランス］
トランスＴは、一次巻線Ｗｐおよび二次巻線Ｗｓを有し、エネルギーの蓄積および放出を行う絶縁トランス回路である。
【００３０】
トランスＴのサイズ、一次巻線Ｗｐおよび二次巻線Ｗｓの巻数は、入力される外部電源の交流電圧と、出力側において必要とされる電圧とに応じて設定する。出力側において必要とされる電圧は、ＬＥＤ群の数、および、個々のＬＥＤ群を構成するＬＥＤの数等に応じて決まる。
【００３１】
［１−２−２．二次側回路］
二次側回路２０は、トランスＴの二次巻線Ｗｓに接続され、トランスＴからエネルギーを放出する回路である。
【００３２】
なお、以下の説明では、一次側回路１０およびトランスＴを交流源と称する。
【００３３】
二次側回路２０は、図１に示すように、ＬＥＤ群ＬＧ１〜ＬＧ４と、電流制限回路２１とを備えている。
【００３４】
ＬＥＤ群ＬＧ１（第一ＬＥＤ群）は、順方向が第一方向（図中二点鎖線の方向）となるように直列に接続された１以上のＬＥＤにより構成されている。ＬＥＤ群ＬＧ１は、アノード端子が交流源の一端、つまり、トランスＴの二次巻線Ｗｓの一端に、カソード端子が第一ノードＮ１にそれぞれ接続されている。
【００３５】
ＬＥＤ群ＬＧ２（第二ＬＥＤ群）は、順方向が前記第一方向とは逆向きの第二方向（図中一点鎖線の方向）となるように直列に接続された１以上のＬＥＤにより構成されている。ＬＥＤ群ＬＧ２は、アノード端子が交流源の他端、つまり、トランスＴの二次巻線Ｗｓの他端に、カソード端子が第一ノードＮ１にそれぞれ接続されている。
【００３６】
ＬＥＤ群ＬＧ３（第三ＬＥＤ群）は、順方向が第二方向となるように直列に接続された１以上のＬＥＤにより構成されている。ＬＥＤ群ＬＧ３は、アノード端子が第二ノードＮ２に、カソード端子が交流源の一端、つまり、トランスＴの二次巻線Ｗｓの一端にそれぞれ接続されている。
【００３７】
ＬＥＤ群ＬＧ４（第四ＬＥＤ群）は、順方向が第一方向となるように直列に接続された１以上のＬＥＤにより構成されている。ＬＥＤ群ＬＧ４は、アノード端子が第二ノードＮ２に、カソード端子が交流源の他端、つまり、トランスＴの二次巻線Ｗｓの他端にそれぞれ接続されている。
【００３８】
電流制限回路２１は、ＬＥＤ群ＬＧ１〜ＬＧ４を構成するＬＥＤに流れる電流の量を、ＬＥＤの最大規定電流以下に抑えるための回路である。なお、電流制限回路２１は、ＬＥＤ群ＬＧ１〜ＬＧ４に流れる電流の電流量を、発熱量等を考慮して、最大規定電流よりも小さい値に制限しても構わない。電流制限回路２１は、一端がノードＮ１に、他端がノードＮ２に接続されている。電流制限回路２１は、例えば、図７に示すＬＥＤ駆動回路１Ａの二次側回路２０Ａのように、一端がノードＮ１に、他端がノードＮ２に接続された抵抗２１Ａを用いて構成されていても構わない。
【００３９】
このように構成することにより、トランスＴの他端の電圧より一端の電圧が高くなる期間（トランスＴから正の電圧が出力される期間、本実施の形態では、トランスＴから電圧ＶＡが出力される期間）では、図１の二点鎖線に示す経路に電流ＩＡが流れる。二点鎖線で示す経路は、ＬＥＤ群ＬＧ１、電流制限回路２１およびＬＥＤ群ＬＧ４をこの順に通る経路である。これに対し、トランスＴの一端の電圧より他端の電圧が高くなる期間（トランスＴから負の電圧が出力される期間、本実施の形態では、トランスＴから電圧ＶＢが出力される期間）では、図１の一点鎖線に示す経路に電流ＩＢが流れることになる。一点鎖線で示す経路は、ＬＥＤ群ＬＧ２、電流制限回路２１およびＬＥＤ群ＬＧ３をこの順に通る経路である。
【００４０】
なお、本実施の形態では、ＬＥＤ群ＬＧ１〜ＬＧ４を構成するＬＥＤの数は同じである場合を例に説明するが、ＬＥＤ群ＬＧ１〜ＬＧ４を構成するＬＥＤの数は異なっていても構わない。但し、電流がＬＥＤ群ＬＧ１−ＬＧ４の経路を流れるときの電流制限回路２１における電流量と、電流がＬＥＤ群ＬＧ２−ＬＧ３の経路を流れるときの電流制限回路２１における電流量とが同じになるように、ＬＥＤ群ＬＧ１とＬＧ２の数を同じにし、ＬＥＤ群ＬＧ３とＬＧ４の数を同じにしても構わない。
【００４１】
［１−２−３．一次側回路］
図２は、本実施の形態における一次側回路１０Ａ（一次側回路１０の一例）の詳細な構成の一例を示す回路図である。図３は、一次側回路１０Ａを構成するリセット回路１２の一例を示す回路図である。
【００４２】
一次側回路１０Ａは、図２に示すように、制御回路１１、スイッチＳ１およびＳ２、リセット回路１２および１３、平滑コンデンサ１４、ダイオードブリッジ１５、および、ＡＣプラグ１６等を備えている。なお、一次側回路１０Ａの構成はこれに限られるものではなく、さらに他の回路等が追加されていても構わない。
【００４３】
制御回路１１は、一次側回路１０Ａの動作を制御する回路である。制御回路１１は、スイッチＳ１のオンおよびオフを設定する制御信号Ｇ１をスイッチＳ１の制御端子に出力する。同様に、制御回路１１は、スイッチＳ２のオンおよびオフを設定する制御信号Ｇ２をスイッチＳ２の制御端子に出力する。制御信号Ｇ１およびＧ２については、動作説明において詳述する。
【００４４】
スイッチＳ１は、制御回路１１からの制御信号Ｇ１に応じて、トランスＴの一次巻線Ｗｐの一端およびリセット回路１３の入力端子１２５（図３参照）を接地するか否かを切り替える。より詳細には、スイッチＳ１は、本実施の形態では、制御信号Ｇ１がＨレベルの期間にオン状態となり、Ｌレベルの期間にオフ状態となる。スイッチＳ１は、例えば、ＦＥＴ（Ｆｉｅｌｄ  ｅｆｆｅｃｔ  ｔｒａｎｓｉｓｔｏｒ）等を用いて構成されていても構わない。
【００４５】
スイッチＳ２は、制御回路１１からの制御信号Ｇ２に応じて、トランスＴの一次巻線Ｗｐの他端およびリセット回路１２の入力端子を接地するか否かを切り替える。スイッチＳ２は、本実施の形態では、制御信号Ｇ２がＨレベルの期間にオン状態となり、Ｌレベルの期間にオフ状態となる。スイッチＳ２は、例えば、スイッチＳ１と同様に、ＦＥＴ等を用いて構成されていても構わない。
【００４６】
リセット回路１２は、図２に示すように、出力端子がトランスＴの中間点およびダイオードブリッジ１５の出力端子に、入力端子がトランスＴの他端にそれぞれ接続されている。リセット回路１２は、図３に示すように、出力端子１２１と、コンデンサ１２２と、ダイオード１２３と、抵抗１２４と、入力端子１２５とを備えている。コンデンサ１２２は、一端が出力端子１２１に、他端がダイオード１２３のカソード端子にそれぞれ接続されている。ダイオード１２３は、カソード端子がコンデンサ１２２の他端に、アノード端子が入力端子１２５にそれぞれ接続されている。抵抗１２４は、一端がコンデンサ１２２の一端および出力端子１２１に、他端がコンデンサ１２２の他端およびダイオード１２３のカソード端子にそれぞれ接続されている。
【００４７】
リセット回路１３は、図２に示すように、出力端子がトランスＴの中間点およびダイオードブリッジ１５の出力端子に、入力端子がトランスＴの一端にそれぞれ接続されている。リセット回路１３の構成は、図３に示すリセット回路１２の構成と同じである。
【００４８】
ダイオードブリッジ１５は、ＡＣプラグ１６から入力される交流電力を整流する。
【００４９】
ＡＣプラグ１６は、外部の交流電源からの交流電力の入力を受け付けるプラグである。
【００５０】
［１−３．ＬＥＤ駆動回路の動作］
ＬＥＤ駆動回路１の動作について、図４および図５を基に説明する。
【００５１】
［１−３−１．一次側回路の動作］
一次側回路１０Ａの動作は、制御回路１１により制御されている。
【００５２】
図４は、制御回路１１から出力される制御信号Ｇ１およびＧ２の一例を示す波形図である。図４に示すように、制御回路１１は、制御信号Ｇ１およびＧ２を交互にＨレベルにし、スイッチＳ１およびスイッチＳ２を交互にオン状態にしている。また、制御信号Ｇ１がＨレベルになる期間と制御信号Ｇ２がＨレベルになる期間との間には、制御信号Ｇ１およびＧ２の両方がＬレベルになるリセット期間が設けられている。
【００５３】
なお、制御信号Ｇ１およびＧ２をオン状態にする周期（期間ｔ１〜ｔ５で１周期）は、本実施の形態では、液晶ディスプレイのリフレッシュレートに応じて決定されている。また、制御信号Ｇ１またはＧ２がオン状態となる期間が、液晶ディスプレイにおいて表示画素の状態が安定している期間内、つまり、書き込み期間を除く期間内に設定されるように、各周期における制御信号Ｇ１およびＧ２をオン状態にするタイミングを設定する。以下、各期間の動作について、より詳細に説明する。
【００５４】
図４に示すように、時刻ｔ０〜ｔ１の期間は、制御信号Ｇ１およびＧ２の両方がＬレベルになり、スイッチＳ１およびスイッチＳ２の両方がオフ状態となるリセット期間である。リセット期間では、リセット回路１２およびリセット回路１３により、トランスＴに蓄積された無駄な磁力がトランスＴ１に環流される。言い換えると、リセット回路１２およびリセット回路１３は、トランスＴに流れる電流を平滑コンデンサ１４に回生させる。これにより、次にスイッチＳ１またはスイッチＳ２がオン状態になったときに、蓄積された磁力により、出力側に設計よりも高い電圧が出力されるのを防止することが可能になる。
【００５５】
時刻ｔ１〜ｔ２の期間では、スイッチＳ１がオン状態に、スイッチＳ２がオフ状態となる。このとき、トランスＴの一端（スイッチＳ１が接続されている側）が接地され、トランスＴの中点から一端側に電流が流れる。
【００５６】
時刻ｔ２〜ｔ３の期間は、リセット期間となる。
【００５７】
時刻ｔ３〜ｔ４の期間では、スイッチＳ２がオン状態に、スイッチＳ１がオフ状態となる。このとき、トランスＴの他端（スイッチＳ２が接続されている側）が接地され、トランスＴの中点から他端側に電流が流れる。つまり、時刻ｔ１〜ｔ２とは逆向きに電流が流れる。
【００５８】
時刻ｔ４〜ｔ８の期間における回路動作は、時刻ｔ０〜ｔ４の期間における回路動作と同じである。
【００５９】
なお、時刻ｔｈ〜ｔ（ｈ＋１）（ｈは奇数）の期間の各々を１点灯期間とする。
【００６０】
このように、ダイオードブリッジ１５の出力端子をトランスＴの中点に接続し、トランスＴの一端および他端を交互に接地することにより、トランスＴに流れる電流の方向を交互に切り替えることができる。これにより、トランスＴ１の出力電圧は、交流電圧となる。
【００６１】
［１−３−２．二次側回路の動作］
図５は、図１に示す二次側回路２０の電圧ＶＡ、電圧ＶＢ、電流ＩＡおよび電流ＩＢの関係を示す波形図である。
【００６２】
図５の（ａ）は、トランスＴの二次巻線Ｗｓの一端側を基準としたときのトランスＴの出力電圧である電圧ＶＡと、トランスＴの二次巻線Ｗｓの他端側を基準としたときのトランスＴの出力電圧である電圧ＶＢとを示している。
【００６３】
図５の（ｂ）は、二点鎖線で示す経路に流れる電流ＩＡと、一点鎖線で示す経路に流れる電流ＩＢとを示している。上述したように、二点鎖線で示す経路は、ＬＥＤ群ＬＧ１、電流制限回路２１およびＬＥＤ群ＬＧ４をこの順に通る経路である。一点鎖線で示す経路は、ＬＥＤ群ＬＧ２、電流制限回路２１およびＬＥＤ群ＬＧ３をこの順に通る経路である。
【００６４】
トランスＴの出力電圧は交流電圧であり、時刻ｔｓ〜ｔ（ｓ＋１）（ｓ＝１、５、９、・・・）の期間は図１の二点鎖線で示す経路に電流ＩＡが流れ、時刻ｔ（ｓ＋２）〜ｔ（ｓ＋３）の期間は図１の一点鎖線で示す経路に電流ＩＢが流れる。
【００６５】
言い換えると、点灯期間ｔｈ〜ｔ（ｈ＋１）（ｈは奇数）のうち、時刻ｔｓ〜ｔ（ｓ＋１）（ｓ＝１、５、９、・・・）の点灯期間は、ＬＥＤ群ＬＧ１およびＬＧ４が点灯し、時刻ｔ（ｓ＋２）〜ｔ（ｓ＋３）の点灯期間は、ＬＥＤ群ＬＧ２およびＬＧ３が点灯する。
【００６６】
図６は、本実施の形態におけるＬＥＤ群ＬＧ１〜ＬＧ４の配置の一例を示す図である。上述したように、ＬＥＤ群ＬＧ１〜ＬＧ４は、それぞれ、長尺状の基板上に複数のＬＥＤを一行に並べたＬＥＤバーで構成されている。図６では、リアフレームの中央に、４つのＬＥＤバーが２行×２列の行列状に配置されている。図６では、同じ期間に点灯するＬＥＤ群ＬＧ１とＬＥＤ群ＬＧ４のＬＥＤバーが第一行に、同じ期間に点灯するＬＥＤ群ＬＧ２とＬＥＤ群ＬＧ３のＬＥＤバーが第二行に、それぞれ配置されている。
【００６７】
以上より、本実施の形態では、液晶パネルの表示領域の上半分と下半分とが交互に点灯される構成になっている。これにより、液晶パネルの下半分を構成する表示画素を書き換えている期間に、液晶パネルの上半分を構成する表示画素を点灯させ、液晶パネルの上半分を構成する表示画素を書き換えている期間に、液晶パネルの下半分を構成する表示画素を点灯させることができる。
【００６８】
［１−４．効果等］
本実施の形態のＬＥＤ駆動回路１は、電流制限回路２１が、順方向が互いに内側を向くように直列に接続されたＬＥＤ群ＬＧ１とＬＧ２との接続点と、順方向が互いに外側を向くように直列に接続されたＬＥＤ群ＬＧ３とＬＧ４との接続点とを結ぶ位置に設けられている。このため、電流制限回路２１を流れる電流の方向は、常に同じ方向となる。これにより、電流制限回路２１の回路構成を、簡単な構成にすることが可能になる。
【００６９】
また、本実施の形態のＬＥＤ駆動回路１は、二次側回路に整流回路および昇圧降圧回路を設ける必要が無いので、回路規模の増大を抑制することが可能になる。
【００７０】
また、本実施の形態のＬＥＤ駆動回路１は、上述したように、液晶パネルの下半分を構成する表示画素を書き換えている期間に、液晶パネルの上半分を構成する表示画素を点灯させ、液晶パネルの上半分を構成する表示画素を書き換えている期間に、液晶パネルの下半分を構成する表示画素を点灯させることができる。この場合、人の知覚上、リフレッシュレートが高くなっているように感じるため、映像の動きが滑らかに感じられることになり、映像品質を向上させることが可能になる。
【００７１】
［１−５．変形例１］
変形例１について、図８を基に説明する。
【００７２】
上記実施の形態では、バックライトが直下型である場合を例に説明したが、エッジライト型のバックライトであっても構わない。
【００７３】
図８は、本変形例におけるＬＥＤ群ＬＧ１〜ＬＧ４の配置を示す図である。図８では、リアフレームの左右にＬＥＤ群ＬＧ１〜ＬＧ４が配置されている。図８では、リアフレームの左辺に接する領域のうち、上半分の領域にＬＥＤ群ＬＧ１のＬＥＤバーが配置されている。また、リアフレームの右辺に接する領域のうち、上半分の領域にＬＥＤ群ＬＧ４のＬＥＤバーが配置されている。
【００７４】
リアフレームの左辺に接する領域のうち、下半分の領域にＬＥＤ群ＬＧ２のＬＥＤバーが配置されている。リアフレームの右辺に接する領域のうち、下半分の領域にＬＥＤ群ＬＧ３のＬＥＤバーが配置されている。
【００７５】
このようにＬＥＤ群ＬＧ１〜ＬＧ４を配置することで、実施の形態１と同様の効果を奏することができる。
【００７６】
［１−６．変形例２］
変形例２について、図９および図１０を基に説明する。
【００７７】
上記実施の形態では、電流制限回路２１が抵抗２１Ａである場合を例に説明したが、定電流回路を用いても構わない。
【００７８】
図９は、本変形例におけるＬＥＤ駆動回路１Ｂの構成の一例を示す回路図である。図９に示すように、本変形例のＬＥＤ駆動回路１Ｂは、一次側回路１０と、トランスＴと、二次側回路２０Ｂとを備えている。一次側回路１０およびトランスＴの構成は、実施の形態１と同じである。
【００７９】
二次側回路２０Ｂは、図９に示すように、ＬＥＤ群ＬＧ１〜ＬＧ４と、電流制限回路２１の一例である定電流回路２１Ｂとを備えている。ＬＥＤ群ＬＧ１〜ＬＧ４の構成は、実施の形態１と同じである。
【００８０】
図１０は、定電流回路２１Ｂの構成の一例を示す回路図である。図１０に示すように、定電流回路２１Ｂは、入力端子２１１と、スイッチング素子２１２と、抵抗２１３と、オペアンプ２１４と、参照電圧印加回路２１５と、出力端子２１６とを備えている。
【００８１】
スイッチング素子２１２は、本実施の形態では、例えば、ＮＰＮ型のバイポーラトランジスタであり、ベース端子にオペアンプ２１４の出力端子が、コレクタ端子に入力端子２１１が、エミッタ端子に抵抗２１３の一端およびオペアンプの負側の入力端子がそれぞれ接続されている。
【００８２】
抵抗２１３は、一端がスイッチング素子２１２のエミッタ端子およびオペアンプ２１４の負側の入力端子に、他端が出力端子２１６にそれぞれ接続されている。
【００８３】
オペアンプ２１４は、出力端子がスイッチング素子２１２のベース端子に、負側の入力端子がスイッチング素子２１２のエミッタ端子および抵抗２１３の一端にそれぞれ接続され、正側の入力端子に参照電圧印加回路２１５からの電圧が印加されている。
【００８４】
参照電圧印加回路２１５は、予め定められた参照電圧を出力する回路である。
【００８５】
このように電流制限回路２１を構成することにより、実施の形態１と同様の効果を奏することができる。
【００８６】
また、図１に示すように、電流制限回路２１に流れる電流の方向は常に同じであることから、本変形例の定電流回路２１Ｂのように、電流制限回路２１の構成を簡素にすることができる。
【００８７】
［１−７．変形例３］
変形例３について、図１１および図１２を基に説明する。
【００８８】
上記変形例２では、定電流回路２１Ｂを構成するオペアンプ２１４の正側の入力端子に、予め定められた参照電圧を出力する参照電圧印加回路２１５からの電圧が入力されていた。
【００８９】
これに対し、本変形例では、二次側回路２０Ｃの定電流回路２１Ｃを構成するオペアンプ２１４の正側の入力端子に、外部に設けられた輝度制御電圧生成回路３０からの電圧が入力される。
【００９０】
図１１は、本変形例におけるＬＥＤ駆動回路１Ｃの構成の一例を示す回路図である。図１１に示すように、本変形例のＬＥＤ駆動回路１Ｃは、一次側回路１０と、トランスＴと、二次側回路２０Ｃとを備えている。一次側回路１０およびトランスＴの構成は、実施の形態１と同じである。
【００９１】
二次側回路２０Ｃは、図１１に示すように、ＬＥＤ群ＬＧ１〜ＬＧ４と、電流制限回路２１の一例である定電流回路２１Ｃとを備えている。ＬＥＤ群ＬＧ１〜ＬＧ４の構成は、実施の形態１と同じである。
【００９２】
図１２は、定電流回路２１Ｃの構成の一例を示す回路図である。図１２に示すように、定電流回路２１Ｃは、入力端子２１１と、スイッチング素子２１２と、抵抗２１３と、オペアンプ２１４と、出力端子２１６と、参照電圧入力端子２１７とを備えている。スイッチング素子２１２、抵抗２１３およびオペアンプ２１４の構成は、オペアンプ２１４の正側の入力端子に入力される電圧が異なる点を除き、同じである。
【００９３】
オペアンプ２１４の正側の入力端子に接続される参照電圧入力端子２１７には、上述したように、輝度制御電圧生成回路３０からの電圧が入力される。
【００９４】
このように電流制限回路２１を構成することにより、実施の形態１と同様の効果を奏することができる。また、図１に示すように、電流制限回路２１に流れる電流の方向は常に同じであることから、本変形例の定電流回路２１Ｃにおいても、変形例２の定電流回路２１Ｂと同様に、電流制限回路２１の構成を簡素にすることができる。
【００９５】
さらに、本変形例の定電流回路２１Ｃは、輝度制御電圧生成回路３０からの電圧により、回路に流れる電流値を制御することが可能になる。これにより、ＬＥＤ群ＬＧ１〜ＬＧ４を構成するＬＥＤの発光量（輝度）を調整することが可能になる。
【００９６】
［１−８．変形例４］
変形例４について、図１３を基に説明する。
【００９７】
上記実施の形態１、変形例１〜変形例３の構成に、さらに、トランスＴの出力電圧が異常であるか否かを検知する電圧検出回路を設けても構わない。
【００９８】
図１３は、本変形例におけるＬＥＤ駆動回路１Ｄの構成の一例を示す回路図である。なお、本変形例では変形例３の構成に電圧検出回路を追加する場合について説明するが、実施の形態１、変形例１または変形例２の構成に電圧検出回路を追加しても構わない。
【００９９】
図１３に示すように、本変形例のＬＥＤ駆動回路１Ｄは、一次側回路１０と、トランスＴと、二次側回路２０Ｄと、輝度制御電圧生成回路３０とを備えている。一次側回路１０およびトランスＴの構成は、実施の形態１と同じであり、輝度制御電圧生成回路３０の構成は変形例３と同じである。
【０１００】
二次側回路２０Ｄは、図１３に示すように、ＬＥＤ群ＬＧ１〜ＬＧ４と、電流制限回路２１の一例である定電流回路２１Ｃと、スイッチＳ３と、電圧検出回路２２とを備えている。ＬＥＤ群ＬＧ１〜ＬＧ４の構成は実施の形態１と同じであり、定電流回路２１Ｃの構成は変形例３と同じである。
【０１０１】
スイッチＳ３は、電圧検出回路２２からの電圧信号に応じて、トランスＴの二次巻線Ｗｓの一端とノードＮ３との間の導通および非導通を切り替える。スイッチＳ３は、例えば、ＦＥＴで構成されていても構わない。ノードＮ３は、ＬＥＤ群ＬＧ１のアノード端子とＬＥＤ群ＬＧ３のカソード端子とが接続されるノードである。
【０１０２】
電圧検出回路２２は、トランスＴの二次巻線Ｗｓの一端と他端との間の電圧を監視し、所定の閾値以上の電圧を検出したときに、スイッチＳ３の制御端子にスイッチＳ３をオフ状態にする電圧を出力する回路である。
【０１０３】
このようにＬＥＤ駆動回路１Ｄを構成することにより、実施の形態１と同様の効果を奏することができる。さらに、電圧検出回路２２により、トランスＴから異常に大きい電圧が出力された場合に、回路を保護することが可能になる。
【０１０４】
なお、スイッチング素子は、トランスＴの二次巻線Ｗｓの他端とノードＮ４との間に設けても構わない。ノードＮ４は、ＬＥＤ群ＬＧ２のアノード端子とＬＥＤ群ＬＧ４のカソード端子とが接続されるノードである。
【０１０５】
［１−９．変形例５］
変形例５について、図１４を基に説明する。
【０１０６】
上記変形例４では、電圧検出回路２２が異常を検出したときに二次側回路２０Ｄ内で電流を遮断する場合を例示したが、これに限るものではない。一次側回路の動作を止めるように構成しても構わない。
【０１０７】
図１４は、本変形例におけるＬＥＤ駆動回路１Ｅの構成の一例を示す回路図である。なお、本変形例では、変形例３の構成にＰＦＣ（Ｐｏｗｅｒ  ｆａｃｔｏｒ  ｃｏｒｒｅｃｔｉｏｎ）１７と電圧検出回路２２とサンプリングホールド回路１８Ａとが追加されている場合について説明するが、実施の形態１、変形例１または変形例２の構成にＰＦＣ１７と電圧検出回路２２とサンプリングホールド回路１８Ａとを追加しても構わない。
【０１０８】
図１４に示すように、本変形例のＬＥＤ駆動回路１Ｅは、一次側回路１０Ｂと、トランスＴと、二次側回路２０Ｅと、輝度制御電圧生成回路３０と、フォトカプラ４０とを備えている。トランスＴの構成は実施の形態１と同じであり、輝度制御電圧生成回路３０の構成は変形例３と同じである。
【０１０９】
二次側回路２０Ｅは、図１４に示すように、ＬＥＤ群ＬＧ１〜ＬＧ４と、電流制限回路２１の一例である定電流回路２１Ｃと、電圧検出回路２２とを備えている。ＬＥＤ群ＬＧ１〜ＬＧ４の構成は実施の形態１と同じであり、定電流回路２１Ｃの構成は変形例３と同じである。
【０１１０】
電圧検出回路２２は、変形例４と同様に、トランスＴの二次巻線Ｗｓの一端と他端との間の電圧を監視する。ただし、本変形例では、電圧検出回路２２は、フォトカプラ４０およびＰＦＣ１７に対して、電圧検出結果を知らせる電圧信号を出力する。
【０１１１】
フォトカプラ４０は、例えば、入力された電圧信号に応じて発光する発光ダイオードと当該光を受光するフォトトランジスタとを備え、電気的に絶縁した状態で電圧信号を伝達する回路であり、電圧検出回路２２からの電圧信号を制御回路１１Ａに伝達する。
【０１１２】
一次側回路１０Ｂは、図１４に示すように、制御回路１１Ａ、スイッチＳ１およびＳ２、平滑コンデンサ１４、ダイオードブリッジ１５、ＡＣプラグ１６およびＰＦＣ１７を備えている。
【０１１３】
一次側回路１０Ｂは、図１４に示すように、制御回路１１Ａと、スイッチＳ１およびＳ２と、平滑コンデンサ１４と、ダイオードブリッジ１５と、ＡＣプラグ１６と、ＰＦＣ１７と、サンプリングホールド回路１８Ａとを備えている。
【０１１４】
平滑コンデンサ１４、ダイオードブリッジ１５およびＡＣプラグ１６の構成は、図２に示す実施の形態１と同じである。但し、ダイオードブリッジ１５の出力端子は、ＰＦＣ１７の入力端子に接続されている。また、トランスＴの中点および平滑コンデンサ１４の一端は、ＰＦＣ１７の出力端子に接続されている。
【０１１５】
ＰＦＣ１７は、ダイオードブリッジ１５から出力される直流電圧を、電圧検出回路２２から出力される電圧信号に応じて調整し、トランスＴの中点に出力する。ＰＦＣ１７は、直流電圧の調整を制御回路１１Ａから出力される制御信号Ｇ１３が示すタイミングで行う。電圧信号は、フォトカプラ４０およびサンプリングホールド回路１８Ａを介して取得する。
【０１１６】
図１５Ａは、ＰＦＣ１７の一例を示す図である。図１５に示すように、ＰＦＣ１７は、コイル１７２と、ダイオード１７３と、スイッチング素子１７４と、ＰＦＣ制御回路１７６とを備えている。
【０１１７】
コイル１７２は、一端が入力端子１７１に、他端がダイオード１７３のアノード端子およびスイッチング素子１７４の一端に接続されている。ダイオード１７３は、アノード端子がコイル１７２の他端に、カソード端子が出力端子１７５にそれぞれ接続されている。スイッチング素子１７４は、ＰＦＣ制御回路１７６からの電圧に応じて、コイル１７２の他端とダイオード１７３のアノード端子との接続ノードを接地するか否かを切り替える。ＰＦＣ制御回路１７６は、制御端子１７７から入力されるサンプリングホールド回路１８Ａからの制御信号Ｇ１３に応じて、スイッチング素子１７４をオン状態とオフ状態との間で切り替えるための信号を出力する。
【０１１８】
入力端子１７１はダイオードブリッジ１５の出力端子に、出力端子１７５はトランスＴの中点に、制御端子１７７は制御回路１１Ａにそれぞれ接続されている。
【０１１９】
このように、ＰＦＣ１７にトランスＴの出力電圧をフィードバックさせてトランスＴの中点に出力される直流電圧の電圧値を調整することにより、トランスＴの出力電圧をより精密に制御することが可能になる。ＰＦＣ１７にトランスＴの出力電圧をフィードバックすることで、例えば、外部電源の電源電圧に変動が生じた場合でも、その影響を抑えることが可能になる。
【０１２０】
サンプリングホールド回路１８Ａは、図１４に示すように、制御回路１１Ａから出力される制御信号Ｇ１３に応じて、電圧検出回路２２からの電圧信号をＰＦＣ１７に供給する回路である。本変形例では、サンプリングホールド回路１８Ａは、制御信号Ｇ１３がＨレベルの期間に、電圧検出回路２２からの電圧信号をＰＦＣ１７に供給する。サンプリングホールド回路１８Ａは、制御信号Ｇ１３がＬレベルの期間は、ＰＦＣ１７に電圧信号を出力しない。
【０１２１】
制御回路１１Ａは、一次側回路１０の動作を制御する回路である。制御回路１１Ａは、実施の形態１と同様に、スイッチＳ１のオンおよびオフを設定する制御信号Ｇ１１をスイッチＳ１の制御端子に出力し、スイッチＳ２のオンおよびオフを設定する制御信号Ｇ１２をスイッチＳ２の制御端子に出力する。
【０１２２】
本変形例の制御回路１１Ａは、さらに、フォトカプラ４０からの電圧信号を用いてトランスＴの出力電圧が異常であるか否かを判定し、異常であると判定したときは、制御信号Ｇ１およびＧ２を制御して、スイッチＳ１およびスイッチＳ２の両方をオフ状態にする。これに対し、本変形例の制御回路１１Ａは、フォトカプラ４０からの電圧信号によって示されるトランスＴの出力電圧が、正常な範囲になったときは、スイッチＳ１およびＳ２のオンオフ動作を再開しても構わない。
【０１２３】
スイッチＳ１は、制御回路１１Ａからの制御信号Ｇ１１に応じて、トランスＴの一次巻線Ｗｐの一端を接地するか否かを切り替える。スイッチＳ１は、実施の形態１と同様に、制御信号Ｇ１１がＨレベルの期間にオン状態となり、Ｌレベルの期間にオフ状態となる。スイッチＳ１は、実施の形態１と同様に、例えば、ＦＥＴ等を用いて構成されていても構わない。
【０１２４】
スイッチＳ２は、制御回路１１Ａからの制御信号Ｇ１２に応じて、トランスＴの一次巻線Ｗｐの他端を接地するか否かを切り替える。スイッチＳ２は、実施の形態１と同様に、制御信号Ｇ１２がＨレベルの期間にオン状態となり、Ｌレベルの期間にオフ状態となる。スイッチＳ２は、実施の形態１と同様に、例えば、ＦＥＴ等を用いて構成されていても構わない。
【０１２５】
制御回路１１Ａの動作について、図１５Ｂを用いて説明する。
【０１２６】
図１５Ｂは、制御信号Ｇ１１〜Ｇ１３の波形を示す波形図である。なお、図１５Ｂにおける時間ｔ１〜ｔ８は、図４の時間ｔ１〜ｔ８に対応している。制御信号Ｇ１１は、図４の制御信号Ｇ１と同じである。制御信号Ｇ１２は、図４の制御信号Ｇ２と同じである。
【０１２７】
図１５Ｂの制御信号Ｇ１３は、スイッチＳ１またはＳ２がＨレベルの期間に、Ｈレベルとなっている。このように構成することにより、トランスＴが動作している期間には、電圧検出回路２２からの電圧信号をＰＦＣ１７にフィードバックし、リセット期間には、フィードバックを行わないように制御することができる。
【０１２８】
なお、制御信号Ｇ１３の立ち上がりのタイミングは、図１５Ｂに示すように、制御信号Ｇ１１またはＧ１２の立ち上がりから少し遅らせても構わない。図１５Ｂにおいて、時間ｔ１ｄ、ｔ３ｄ、ｔ５ｄ、ｔ７ｄはそれぞれ、ｔ１、ｔ３、ｔ５、ｔ７をΔｔ遅らせた時間である。Δｔは、例えば、スイッチＳ１またはＳ２がオン状態になってからトランスＴの動作が安定するまでの時間を考慮して設定する。この場合、トランスＴの動作が安定してからフィードバックを行うことが可能になる。
【０１２９】
このようにＬＥＤ駆動回路１Ｅを構成することにより、実施の形態１と同様の効果を奏することができる。さらに、電圧検出回路２２により、変形例４と同様に、トランスＴから異常に大きい電圧が出力された場合に、回路を保護することが可能になる。
【０１３０】
なお、実施の形態１と同様に、一次側回路１０Ｂにリセット回路１２および１３を設けても構わない。
【０１３１】
［１−１０．変形例６］
変形例６について、図１６を基に説明する。
【０１３２】
実施の形態１、変形例１〜変形例５では、制御回路１１から出力される制御信号Ｇ１は、図４に示すように、１つの点灯期間には１つのパルスが出力される場合を例に説明したが、これに限るものではない。
【０１３３】
図１６は、本変形例における制御信号Ｇ１およびＧ２の一例を示す図である。本変形例では、制御回路１１から出力される制御信号Ｇ１およびＧ２は、点灯期間の各々において、複数のパルスが出力される。
【０１３４】
１つの点灯期間中ずっと同じフレームを表示し続ける場合に比べ、電源トランスの大きさを小さくすることが可能になる。また、実施の形態１と同様の効果を奏することができる。
【０１３５】
（実施の形態２）
実施の形態２のＬＥＤ駆動回路および当該ＬＥＤ回路を備えた表示装置について、図１７〜図１９を基に説明する。
【０１３６】
本実施の形態では、実施の形態１と同様に、表示装置がＬＥＤバックライトを備えた液晶ディスプレイである場合を例に説明する。
【０１３７】
［２−１．液晶ディスプレイ］
液晶ディスプレイは、図示しないが、実施の形態１と同様に、リアキャビネットおよびフロントキャビネットで構成される筐体内に、液晶パネルと、液晶パネルの背面側に配置されたリアフレームと、リアフレーム内に設けられたバックライトと、ＬＥＤ駆動回路とを備えている。
【０１３８】
［２−２．ＬＥＤ駆動回路の構成］
図１７は、本実施の形態におけるＬＥＤ駆動回路２の一例を示す回路図である。図１７に示すように、ＬＥＤ駆動回路２は、トランスＴ１およびＴ２と、一次側回路１０Ｃと、二次側回路２０Ｅ１および２０Ｅ２とを備えて構成されている。
【０１３９】
［２−２−１．トランスおよび二次側回路の構成］
なお、トランスＴ１および二次側回路２０Ｅ１の構成は、実施の形態１の変形例５のトランスＴおよび二次側回路２０Ｅと同じである（但し、電圧検出回路２２Ｅ１の接続先はフォトカプラではなくスイッチＳ１３である）。具体的には、本変形例のＬＥＤ群ＬＧ１１〜ＬＧ１４、定電流回路２１Ｅ１および電圧検出回路２２Ｅ１の構成は、変形例５のＬＥＤ群ＬＧ１〜ＬＧ４、定電流回路２１Ｃおよび電圧検出回路２２の構成と同じである。
【０１４０】
同様に、トランスＴ２および二次側回路２０Ｅ２の構成は、実施の形態１の変形例５のトランスＴおよび二次側回路２０Ｅと同じである（但し、電圧検出回路２２Ｅ２の接続先はフォトカプラではなくスイッチＳ２３である）。具体的には、本変形例のＬＥＤ群ＬＧ２１〜ＬＧ２４、定電流回路２１Ｅ２および電圧検出回路２２Ｅ２の構成は、変形例５のＬＥＤ群ＬＧ１〜ＬＧ４、定電流回路２１Ｃおよび電圧検出回路２２の構成と同じである。
【０１４１】
言い換えると、本実施の形態のＬＥＤ駆動回路２は、変形例５のトランスＴおよび二次側回路２０Ｃを２組備えている。なお、輝度制御電圧生成回路３０は、１つの回路で構成され（共通化され）、二次側回路２０Ｅ１および２０Ｅ２の定電流回路２１Ｅ１および２１Ｅ２に対し、同じ電圧を供給している。
【０１４２】
［２−２−２．一次側回路の構成］
一次側回路１０Ｃは、図１７に示すように、制御回路１１Ｂ、スイッチＳ１１〜Ｓ１３、Ｓ２１〜Ｓ２３、平滑コンデンサ１４、ダイオードブリッジ１５、ＡＣプラグ１６、ＰＦＣ１７およびサンプリングホールド回路１８Ｂを備えている。平滑コンデンサ１４、ダイオードブリッジ１５およびＡＣプラグ１６の構成は、図１４に示す変形例５の構成と同じである。
【０１４３】
スイッチＳ１１は、制御回路１１Ｂからの制御信号ＧＡ１に応じて、トランスＴ１の一次巻線Ｗｐの一端を接地するか否かを切り替える。スイッチＳ１２は、制御信号ＧＡ２に応じて、トランスＴ１の一次巻線Ｗｐの他端を接地するか否かを切り替える。スイッチＳ１３は、制御信号ＧＡ３に応じて電圧検出回路２２Ｅ１からの電圧信号をサンプリングホールド回路１８Ｂに供給するか否かを切り替える。スイッチＳ２１は、制御回路１１からの制御信号ＧＢ１に応じて、トランスＴ２の一次巻線Ｗｐの一端を接地するか否かを切り替える。スイッチＳ２２は、制御信号ＧＢ２に応じて、トランスＴ２の一次巻線Ｗｐの他端を接地するか否かを切り替える。スイッチＳ２３は、制御信号ＧＢ３に応じて電圧検出回路２２Ｅ２からの電圧信号をサンプリングホールド回路１８Ｂに供給するか否かを切り替える。
【０１４４】
スイッチＳ１１〜Ｓ１３、Ｓ２１〜Ｓ２３は、実施の形態１と同様に、制御信号ＧＡ１、ＧＡ２、ＧＡ３、ＧＢ１、ＧＢ２、ＧＢ３がＨレベルの期間にオン状態となり、Ｌレベルの期間にオフ状態となる。スイッチＳ１１〜Ｓ１３、Ｓ２１〜Ｓ２３は、実施の形態１と同様に、例えば、ＦＥＴ等を用いて構成されていても構わない。
【０１４５】
制御回路１１Ｂは、一次側回路１０Ｃの動作を制御する回路である。制御回路１１Ｂは、実施の形態１と同様に、スイッチＳ１１〜Ｓ１３、Ｓ２１〜Ｓ２３のオンおよびオフを設定する制御信号ＧＡ１〜ＧＡ３、ＧＢ１〜ＧＢ３の各々を、スイッチＳ１１〜Ｓ１３、Ｓ２１〜Ｓ２３の各々の制御端子に出力する。
【０１４６】
なお、変形例５と同様に、実施の形態１の図１に示すリセット回路１２および１３がさらに追加されていても構わない。あるいは、電圧検出回路２２に関する構成がさらに追加されていても構わない。
【０１４７】
ＰＦＣ１７は、基本的な構成は図１４に示す変形例５の構成と同じであるが、サンプリングホールド回路１８Ｂから、トランスＴ１およびトランスＴ２の出力電圧を示す電圧信号を受け付ける。ＰＦＣ１７は、スイッチＳ１１またはＳ１２がオン状態の期間は、トランスＴ１からの出力電圧に応じてダイオードブリッジ１５からの直流電圧の電圧値を調整する。また、ＰＦＣ１７は、スイッチＳ２１またはＳ２２がオン状態の期間は、トランスＴ２からの出力電圧に応じてダイオードブリッジ１５からの直流電圧の電圧値を調整する。つまり、ＰＦＣ１７は、点灯しているＬＥＤ群に接続されているトランスの出力電圧に応じて、ダイオードブリッジ１５からの直流電圧の電圧値を調整する。
【０１４８】
サンプリングホールド回路１８Ｂは、制御回路１１Ｂから出力される制御信号ＧＣに応じて、電圧検出回路２２Ｅ１または２２Ｅ２からの電圧信号をＰＦＣ１７に供給する回路である。本変形例では、サンプリングホールド回路１８Ｂは、スイッチＳ１３を介して電圧検出回路２２Ｅ１からの電圧信号を受け付け、スイッチＳ２３を介して電圧検出回路２２Ｅ２からの電圧信号を受け付ける。本変形例では、サンプリングホールド回路１８Ｂは、制御信号ＧＣがＨレベルの期間に、電圧検出回路２２Ｅ１または２２Ｅ２からの電圧信号をＰＦＣ１７に供給する。サンプリングホールド回路１８Ｂは、制御信号ＧＣがＬレベルの期間は、ＰＦＣ１７に電圧信号を出力しない。
【０１４９】
［２−３．ＬＥＤ駆動回路の動作］
図１８は、制御回路１１Ｂから出力される制御信号ＧＡ１〜ＧＡ３、ＧＢ１〜ＧＢ３、およびＧＣの一例を示す波形図である。図４に示すように、制御回路１１Ｂは、制御信号ＧＡ１、ＧＢ１、ＧＡ２、およびＧＢ２をこの順に繰り返しＨレベルにしている。本実施の形態では、制御信号ＧＡ１、ＧＡ２、ＧＢ１およびＧＢ２の何れかがＨレベルとなる期間を点灯期間とする。
【０１５０】
制御信号ＧＡ１がＨレベルの期間は、ＬＥＤ群ＬＧ１１およびＬＧ１４が点灯する。制御信号ＧＢ１がＨレベルの期間は、ＬＥＤ群ＬＧ２１およびＬＧ２４が点灯する。制御信号ＧＡ２がＨレベルの期間は、ＬＥＤ群ＬＧ１２およびＬＧ１３が点灯する。制御信号ＧＢ２がＨレベルの期間は、ＬＥＤ群ＬＧ２２およびＬＧ２３が点灯する。
【０１５１】
制御回路１１Ｂは、制御信号ＧＡ１またはＧＡ２がＨレベルのときに制御信号ＧＡ３をＨレベルにする。これにより、スイッチＳ１１またはＳ１２がオン状態のときに、スイッチＳ１３がオン状態になる。また、制御回路１１Ｂは、制御信号ＧＢ１またはＧＢ２がＨレベルのときに制御信号ＧＢ３をＨレベルにする。これにより、スイッチＳ２１またはＳ２２がオン状態のときに、スイッチＳ２３がオン状態になる。さらに、制御回路１１Ｂは、制御信号ＧＡ３またはＧＢ３がＨレベルのときに制御信号ＧｃをＨレベルにする。これにより、スイッチＳ１１〜Ｓ１３、Ｓ２１〜Ｓ２３の何れかがオン状態のときに、サンプリングホールド回路１８Ｂに電圧検出回路２２Ｅ１または２２Ｅ２からの電圧信号が供給される。
【０１５２】
このように構成することにより、トランスＴ１またはＴ２が動作している期間には、電圧検出回路２２Ｅ１またはＥ２からの電圧信号をＰＦＣ１７にフィードバックし、リセット期間には、フィードバックを行わないように制御することができる。
【０１５３】
図１９は、本実施の形態におけるＬＥＤ群ＬＧ１１〜ＬＧ１４、ＬＧ２１〜ＬＧ２４の配置の一例を示す図である。ＬＥＤ群ＬＧ１１〜ＬＧ１４、ＬＧ２１〜ＬＧ２４は、それぞれ、長尺状の基板上に複数のＬＥＤを一行に並べたＬＥＤバーで構成されている。図１９では、リアフレームの中央に、８本のＬＥＤバーが４行×２列の行列状に配置されている。図１９では、同じ期間に点灯する２本のＬＥＤバーを同じ行に配置している。
【０１５４】
本実施の形態では、液晶パネルの表示領域を上下方向に４つの分割領域に分割し、個々のフレームについて、４つの分割領域を第一行から第四行までこの順に点灯させる。
【０１５５】
これにより、実施の形態１およびその変形例と同様に、書き換えの行われていない期間に各分割領域を点灯させることができる。
【０１５６】
［２−４．効果等］
本実施の形態のＬＥＤ駆動回路２の二次側回路２０Ｅ１は、実施の形態１およびその変形例と同様に、定電流回路２１Ｅ１が、順方向が互いに内側を向くように直列に接続されたＬＥＤ群ＬＧ１１とＬＧ１２との接続点と、順方向が互いに外側を向くように直列に接続されたＬＥＤ群ＬＧ１３とＬＧ１４との接続点とを結ぶ位置に設けられている。同様に、二次側回路２０Ｅ２は、実施の形態１およびその変形例と同様に、定電流回路２１Ｅ１が、順方向が互いに内側を向くように直列に接続されたＬＥＤ群ＬＧ２１とＬＧ２２との接続点と、順方向が互いに外側を向くように直列に接続されたＬＥＤ群ＬＧ２３とＬＧ２４との接続点とを結ぶ位置に設けられている。このため、定電流回路２１Ｅ１および２１Ｅ２を流れる電流の方向は、常に同じ方向となる。これにより、定電流回路２１Ｅ１および２１Ｅ２の回路構成を、簡単な構成にすることが可能になる。
【０１５７】
また、本実施の形態のＬＥＤ駆動回路２は、実施の形態１のＬＥＤ駆動回路１と同様に、二次側回路に整流回路および昇圧降圧回路を設ける必要が無いので、回路規模の増大を抑制することが可能になる。
【０１５８】
さらに、本実施の形態のＬＥＤ駆動回路２は、液晶パネルの表示領域をさらに細かく分割して順次点灯させるので、より映像品質を向上させることが可能になる。なお、トランスおよび二次側回路の組をさらに複数備えていても構わない。液晶パネルの表示領域は、トランスおよび二次側回路の組の数×２の領域に分割される。この場合において、複数行のＬＥＤ群を同時に点灯させても構わない。
【０１５９】
また、本実施の形態では、実施の形態１の変形例５と同様に、ＰＦＣ１７にトランスＴ１およびＴ２の出力電圧をフィードバックさせてトランスＴ１およびＴ２の中点に出力される直流電圧の電圧値を調整するので、トランスＴ１およびＴ２の出力電圧をより精密に制御することが可能になる。ＰＦＣ１７にトランスＴの出力電圧をフィードバックすることで、例えば、外部電源の電源電圧に変動が生じた場合でも、その影響を抑えることが可能になる。
【０１６０】
［２−５．変形例］
実施の形態２の変形例について、図２０を基に説明する。
【０１６１】
上記実施の形態では、バックライトが直下型である場合を例に説明したが、エッジライト型のバックライトであっても構わない。
【０１６２】
図２０は、本変形例におけるＬＥＤ群ＬＧ１１〜ＬＧ２４の配置を示す図である。図２０では、リアフレームの左右にＬＥＤ群ＬＧ１１〜ＬＧ２４が配置されている。
【０１６３】
より詳細には、図２０では、リアフレームの左辺に接する領域のうち、一番上の領域にＬＥＤ群ＬＧ１１のＬＥＤバーが配置され、上から２番目の領域にＬＥＤ群ＬＧ２１のＬＥＤバーが配置され、上から３番目の領域にＬＥＤ群ＬＧ１２のＬＥＤバーが配置され、上から４番目の領域（一番下の領域）にＬＥＤ群ＬＧ２２のＬＥＤバーが配置されている。また、リアフレームの右辺に接する領域のうち、一番上の領域にＬＥＤ群ＬＧ１４のＬＥＤバーが配置され、上から２番目の領域にＬＥＤ群ＬＧ２４のＬＥＤバーが配置され、上から３番目の領域にＬＥＤ群ＬＧ１３のＬＥＤバーが配置され、上から４番目の領域（一番下の領域）にＬＥＤ群ＬＧ２３のＬＥＤバーが配置されている。
【０１６４】
このようにＬＥＤ群ＬＧ１１〜ＬＧ２４を配置することで、実施の形態２と同様の効果を奏することができる。
【０１６５】
（他の実施の形態）
以上、本発明の実施の形態に係るＬＥＤ駆動回路および表示装置について説明したが、本発明は、この実施の形態に限定されるものではない。
【０１６６】
上記のＬＥＤ駆動回路を構成する構成要素の一部または全部は、１または複数個のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）等の集積回路を用いて構成されているとしても良い。
【０１６７】
さらに、上記実施の形態及び上記変形例をそれぞれ組み合わせるとしても良い。
【産業上の利用可能性】
【０１６８】
上記実施の形態のＬＥＤ駆動回路は、ＬＥＤを用いて構成されたバックライトを備える液晶ディスプレイ、あるいは、照明器具等に適用できる。上記構成の表示装置は、液晶ディスプレイ等、ＬＥＤを用いて構成されたバックライトを備える表示装置に適用できる。
【符号の説明】
【０１６９】
１、１Ａ、１Ｂ、１Ｃ、１Ｄ、１Ｅ、２  ＬＥＤ駆動回路
１０、１０Ａ、１０Ｂ、１０Ｃ、１１０  一次側回路
１１、１１Ａ、１１Ｂ  制御回路
１２、１３  リセット回路
１４    平滑コンデンサ
１５    ダイオードブリッジ
１６    ＡＣプラグ
１７    ＰＦＣ
１８Ａ、１８Ｂ  サンプリングホールド回路
２０、２０Ａ、２０Ｂ、２０Ｃ、２０Ｅ１、２０Ｅ２、２０Ｄ、２０Ｅ、１２０  二次側回路
２１    電流制限回路
２１Ａ、１２４、２１３  抵抗
２１Ｂ、２１Ｃ、２１Ｅ１、２１Ｅ２、１５０  定電流回路
２２、２２Ｅ１、２２Ｅ２  電圧検出回路
３０    輝度制御電圧生成回路
４０    フォトカプラ
１２１、１７５、２１６  出力端子
１２２  コンデンサ
１２３、１７３  ダイオード
１２５、１７１、２１１  入力端子
１３０  半波整流回路
１４０  昇圧降圧回路
１６０  輝度制御回路
１７２  コイル
１７４、２１２  スイッチング素子
１７６  ＰＦＣ制御回路
１７７  制御端子
２１４  オペアンプ
２１５  参照電圧印加回路
２１７  参照電圧入力端子
ＬＧ１、ＬＧ２、ＬＧ３、ＬＧ４、ＬＧ１１、ＬＧ１２、ＬＧ１３、ＬＧ１４、ＬＧ２１、ＬＧ２２、ＬＧ２３、ＬＧ２４、ＬＧ１００１  ＬＥＤ群
Ｎ１、Ｎ２、Ｎ３、Ｎ４  ノード
Ｓ１、Ｓ２、Ｓ３、Ｓ１１、Ｓ１２、Ｓ１３、Ｓ２１、Ｓ２２、Ｓ２３  スイッチ
Ｔ、Ｔ１、Ｔ２、Ｔ１０  トランス
Ｗｐ    一次巻線
Ｗｓ    二次巻線
【図１】
2015226027.tif 000003
【図２】
2015226027.tif 000004
【図３】
2015226027.tif 000005
【図４】
2015226027.tif 000006
【図５】
2015226027.tif 000007
【図６】
2015226027.tif 000008
【図７】
2015226027.tif 000009
【図８】
2015226027.tif 000010
【図９】
2015226027.tif 000011
【図１０】
2015226027.tif 000012
【図１１】
2015226027.tif 000013
【図１２】
2015226027.tif 000014
【図１３】
2015226027.tif 000015
【図１４】
2015226027.tif 000016
【図１５Ａ】
2015226027.tif 000017
【図１５Ｂ】
2015226027.tif 000018
【図１６】
2015226027.tif 000019
【図１７】
2015226027.tif 000020
【図１８】
2015226027.tif 000021
【図１９】
2015226027.tif 000022
【図２０】
2015226027.tif 000023
【図２１】
2015226027.tif 000024